(57)【要約】【課題】  スライドバーの汎用性を高めたり、スライドバーの施工上の自由度を高めることができる、スライドバーの固定構造を提供する。【解決手段】  吐水具（例えば、シャワーヘッド４０）を保持する保持部材（例えば、シャワーハンガー５０）がスライド可能に装着されるスライドバー１０を、複数の支持部材２０、３０を用いて固定部位（例えば、壁部１）に固定して構成されるスライドバーの固定構造Ｋである。少なくとも１個の支持部材３０は貫通孔３２ｃ等で構成される貫通部を備え、貫通部にスライドバー１０を挿通させた状態で固定部位に固定されている。【選択図】      図２
2006037529.tif 000002
【特許請求の範囲】
【請求項１】
吐水具を保持する保持部材がスライド可能に装着されるスライドバーを、複数の支持部材を用いて所定の固定部位に固定して構成されるスライドバーの固定構造であって、
少なくとも１個の支持部材は貫通孔若しくは貫通状の切り欠きで構成される貫通部を備え、該貫通部にスライドバーを挿通させた状態で前記固定部位に固定されていることを特徴とするスライドバーの固定構造。
【請求項２】
吐水具を保持する保持部材がスライド可能に装着されるスライドバーを、該スライドバーの一端部を用いて構成される支持部と、
該スライドバーに装着された１個以上の支持部材と、を用いて所定の固定部位に固定して構成されるスライドバーの固定構造であって、
少なくとも１個の支持部材は貫通孔若しくは貫通状の切り欠きで構成される貫通部を備え、該貫通部にスライドバーを挿通させた状態で前記固定部位に固定されていることを特徴とするスライドバーの固定構造。
【請求項３】
前記スライドバーの端部が前記貫通部を貫通すると共に該貫通した端部にカバーが装着されていることを特徴とする請求項１又は請求項２の何れかに記載のスライドバーの固定構造。
【請求項４】
前記スライドバーの端部が貫通部内に保持されると共に該貫通部にカバーが装着されていることを特徴とする請求項１又は請求項２の何れかに記載のスライドバーの固定構造。
【請求項５】
吐水具を保持する保持部材がスライド可能に装着されるスライドバーを、複数の支持部材を用いて所定の固定部位に固定して構成されるスライドバーの固定構造であって、
少なくとも１個の支持部材が、スライドバーに対してスライド可能な可動型支持部材とされることを特徴とするスライドバーの固定構造。
【請求項６】
吐水具を保持する保持部材がスライド可能に装着されるスライドバーを、該スライドバーの一端部を用いて構成される支持部と、
該スライドバーに装着された１個以上の支持部材と、を用いて所定の固定部位に固定して構成されるスライドバーの固定構造であって、
少なくとも１個の支持部材が、スライドバーに対してスライド可能な可動型支持部材とされることを特徴とするスライドバーの固定構造。
【発明の詳細な説明】
【技術分野】
【０００１】
本発明は、スライドバーの固定構造に関し、具体的には、スライドバーの汎用性を高めたり、スライドバーの施工上の自由度を高めることができる、スライドバーの固定構造に関する。
【背景技術】
【０００２】
水栓（水栓設備）においては、その水栓本体に接続された吐水用の配管の端末部（二次側の端部）に、シャワーヘッド等の吐水具を配置することがある。かかる水栓（水栓設備）においては、水栓（水栓設備）の周囲に吐水具を保持するための保持部材（ハンガー等）を配置することがある。そして、このような保持部材の中には、壁部等の固定部位に固定されたスライドバーに対してスライド可能に装着されるものがある。（特許文献１参照、以下、「従来例」という。）。尚、本出願において、「水栓本体」とは、元配管の端末部（水道配管の端末部や、給湯用配管の端末部）の２次側に接続されると共に、開閉弁や温度調節用の弁を内蔵する「水栓の本体部分」である。
【特許文献１】特開２００１−１１９１５号公報
【発明の開示】
【発明が解決しようとする課題】
【０００３】
この従来例では、スライドバーの汎用性や施工上の自由度が低くなっている。つまり、この従来例に係るスライドバーにおいては、その両端部を略Ｌ字形状に屈曲させ、このスライドバーをバスユニットの壁部（固定部位の一具体例）に固定する際の「支持部」としている。つまり、スライドバーを、軸心を上下に向けて配置される本体部分（保持部材が実際にスライドする部分）と、この本体部分の両端で略水平に屈曲する支持部とで構成する。そして、この本体部分と一体の「支持部」をバスユニットの壁部に固定することで、スライドバーの固定が行われている。
【０００４】
ところで、この支持部をバスユニットの壁部に固定する際には、通常、ビス等の固定具を用いるが、支持部の固定対象部分としては、この壁部において十分な補強がさなれれた部分が選択される。つまり、バスユニットの壁部は、通常、剛性が低い素材（ＦＲＰ製等の薄肉板等）を用いて構成されるため、この壁部において所定の間隔（ピッチ）をおいた部位を、その裏面側に配置される補強部材（厚肉部や高剛性の素材で構成される補強部材）で補強している。そして、このように補強された部位（以下、「裏面補強部」という。）を、支持部やその他の部材（照明器具、棚等）をビス止め等される固定対象部分としている。
【０００５】
一方、バスユニットは種々のメーカによって製造されているが、前記「裏面補強部」のピッチは各メーカ毎に設定されるのが一般的である。また、同一のメーカーのバスユニットにおいても、各製品（バスユニット）毎に、前記「裏面補強部」のピッチが異なることがある。つまり、バスユニットにおいて、前記「裏面補強部」のピッチ（例えば、１０００ｍｍ、８００ｍｍ、７００ｍｍ、２５０ｍｍ等の多品種）が多様であるが、従来例に係るスライドバーにおいては、両支持部間のピッチを変更することができない。
【０００６】
このため、前記従来例に係るスライドバーを、「裏面補強部」のピッチが異なる種々の施工現場（固定部位）において汎用的に使用することができない。従って、このスライドバーや、このスライドバーを利用する「吐水具の昇降保持装置」を製造、販売するメーカにおいては、両支持部間のピッチが異なる種々の態様のスライドバーを用意することが必要となる。
【０００７】
また、既設若しくは新設のバスユニットに対して、スライドバーを新規に設置したり、既設のバスユニットに設置されているスライドバーを新たなものに交換するために、スライドバーの施工を行う場合、その施工上の自由度が低くなっている。即ち、スライドバーの施工を行う者（以下、「施工者」という。）は、前記「裏面補強部」のピッチを事前に、しかも、正確に確認し、このピッチと合致する全長のスライドバー（つまり、支持部の間隔が裏面補強部のピッチに合致するもの）を購入することが必要である。このため、施工者にとっては、スライドバーの施工上の手間が多く、施工を効率的に行うことができない。また、一般ユーザーにとっては、壁部の裏面側の「裏面補強部」のピッチを正確に確認することは困難なため、一般ユーザー自身でスライドバーの施工を行うことは特に困難である。
【０００８】
更に、前述の如く、「裏面補強部」のピッチが多様なため、施工者が欲する全長（施工対象のピッチと合致する全長）のスライドバーが市場に存在しないこともある。このような場合、施工者は、特注品のスライドバーを用意することが必要となったり、スライドバーの施工・交換を諦めざるを得ない場合もある。
【０００９】
本発明は、上述の課題を解決するものであり、スライドバーの汎用性を高めたり、スライドバーの施工上の自由度を高めることができる、スライドバーの固定構造を提供すること目的とする。
【課題を解決するための手段】
【００１０】
請求項１の発明のスライドバーの固定構造は、
吐水具を保持する保持部材がスライド可能に装着されるスライドバーを、複数の支持部材を用いて所定の固定部位に固定して構成されるスライドバーの固定構造であって、
少なくとも１個の支持部材は貫通孔若しくは貫通状の切り欠きで構成される貫通部を備え、該貫通部にスライドバーを挿通させた状態で前記固定部位に固定されていることを特徴とする。
【００１１】
ここで、請求項１の発明の「スライドバーの固定構造」が備える「支持部材」の数は、２個以上であれば特に問わない。また、請求項１の発明の「スライドバーの固定構造」が、２個の「支持部材」を備える場合、双方の「支持部材」が貫通部を備えてもよいし、一方の「支持部材」のみが貫通部を備えてもよい。また、請求項１の発明の「スライドバーの固定構造」が３個以上の「支持部材」を備える場合にも、全ての「支持部材」が「貫通部」を備えても、貫通部を備える支持部材と貫通部を備えない支持部材と、が混在してもよい。
【００１２】
請求項１の発明の「スライドバーの固定構造」によると、スライドバーと別体される複数の支持部材を用いてスライドバーの固定を行うと共に、これらの支持部材のうちの少なくとも１個が、貫通部にスライドバーを挿通しつつ、固定部位に固定されている。つまり、貫通部を備える支持部材では、その施工時において、スライドバーの貫通部への挿通量を調節すれば、この支持部材のスライドバーへの取付位置を変更可能なため、スライドバーの汎用性と、スライドバーの施工上の自由度とを高めることができる。
【００１３】
つまり、スライドバーを固定部位に安定した状態で固定するためには、このスライドバーの全長方向に沿った２カ所を固定すればよい。そして、請求項１の発明では、この際、一方の支持部材、若しくは、両支持部材のスライドバーへの取付位置を変更可能とするため、施工者は、施工現場において、両支持部材間の間隔を調節できる。よって、請求項１の発明によると、個々の施工現場（固定部位）において、支持部材を固定すべき部分（例えば、前述の「裏面補強部」）のピッチ（以下、「施工ピッチ」という。）が異なっていても、この異なる「施工ピッチ」に対応して両支持部材間の間隔を調節できる。
【００１４】
従って、請求項１の発明によると、例えば、既設若しくは新設のバスユニットに対して、スライドバーを新規に設置したり、既設のバスユニットに設置されているスライドバーを新たなものに交換する際に、支持部材の間隔を「施工ピッチ」に的確に合致させることができる。また、このように、支持部材の間隔を「施工ピッチ」に的確に合致させられるため、支持部材を確実に固定対象となる部分（例えば、裏面補強部）に施工（例えば、ビス止め等）することができ、スライドバーの施工精度も向上する。更に、スライドバーの汎用性が向上し、これらのがマルチ仕様となるため、スライドバーの少品種生産（品番の統一、部品の統廃合）が可能となり、スライドバーの生産コストの低減等を図ることもできる。更に、２つの支持部材の間隔の間隔を現場施工によって調節することは一般ユーザにとっても簡単なため、スライドバーの施工を一般ユーザが積極的に行うことも可能である。
【００１５】
尚、請求項１の発明の「スライドバーの固定構造」が、３個以上の支持部材を備える場合に、全ての支持部材が貫通部を備えたり、１個を除く残り全ての支持部材が貫通部を備えると、「スライドバーの固定構造」を構成する全ての支持部材において、隣接する他の支持部材との間の間隔を「施工ピッチ」に適合させることができ、スライドバーのより安定的な固定を行うことができる。但し、３個以上の支持部材を備える場合においても、最低限１個の支持部材が、貫通部を備えれば、本発明の目的を達成できる。蓋し、１個の「貫通部を備える支持部材」と、何れか一個の支持部材（貫通部を備えるか否かを問わない。）のみとによっても、スライドバーの固定を行うことができるからである。
【００１６】
請求項２の発明のスライドバーの固定構造は、
吐水具を保持する保持部材がスライド可能に装着されるスライドバーを、該スライドバーの一端部を用いて構成される支持部と、
該スライドバーに装着された１個以上の支持部材と、を用いて所定の固定部位に固定して構成されるスライドバーの固定構造であって、
少なくとも１個の支持部材は貫通孔若しくは貫通状の切り欠きで構成される貫通部を備え、該貫通部にスライドバーを挿通させた状態で前記固定部位に固定されていることを特徴とする。
【００１７】
ここで、本出願において、「支持部材」とはスライドバーとは別体に構成されつつ、スライドバーを固定部位に固定するための支持手段を指し、「支持部」とはスライドバーの一部を利用して構成されつつ、スライドバーを固定部位に固定するための支持手段を指す。そして、請求項２の発明は、スライドバーの一端部を用いて構成される支持部（つまり、スライドバーの一部を用いて構成される支持部）と、スライドバーと別体の支持部材とを用いて、スライドバーの固定部位への固定を行う点を除いて、請求項１の発明と同様である。つまり、請求項２の発明では、スライドバーの一端部を用いて構成される支持部（例えば、スライドバーの一端部をＬ字状等に屈曲させて構成される支持部）と、貫通部を備える支持部材との間隔を、「施工ピッチ」に対応して調節できる。
【００１８】
このため、請求項１の発明と同様に、スライドバーの汎用性と、スライドバーの施工上の自由度とを高めることができる。但し、請求項２の発明のスライドバーの固定構造が、複数の支持部材をスライドバーと別体で備える場合には、スライドバーの一端部を用いて構成される支持部を用いずに、２個以上の支持部材を用いることによってスライドバーの固定を行ってもよい。
【００１９】
ここで、請求項２の発明の「スライドバーの固定構造」が備える「支持部材」の数は、１個以上であれば特に問わないが、２個以上の「支持部材」を備える場合、全ての「支持部材」が貫通部を備えてもよいが、少なくとも１つの「支持部材」が貫通部を備えれば本発明の目的を達成できる。
【００２０】
各請求項の発明の「吐水具」としては、シャワーヘッド（例えば、浴室用、洗面用、キッチン用等）や、吐水ヘッド（例えば、キッチン用等）を例示できる。また、「保持部材」としては、吐水具を保持する「ハンガー」等を例示できる。更に、「固定部位」としては、壁部（例えば、浴室の壁部、特に、バスユニットの壁部）の他に、天井部（例えば、浴室の天井部、特に、バスユニットの天井部）、デッキ部（台部ともいう。）、カウンター部（例えば、カウンター部の上面部や前面部等）等を例示できる。
【００２１】
請求項３の発明のスライドバーの固定構造は、請求項１又は請求項２の何れかに記載のスライドバーの固定構造において、
前記スライドバーの端部が前記貫通部を貫通すると共に該貫通した端部にカバーが装着されていることを特徴とする。
【００２２】
請求項３の発明によると、「スライドバーの固定構造」の美観の向上を図ることを意図している。つまり、スライドバーの他端にカバーが装着されるため、スライドバーの固定構造の美観が向上する。
【００２３】
請求項４の発明のスライドバーの固定構造は、請求項１又は請求項２の何れかに記載のスライドバーの固定構造において、
前記スライドバーの端部が貫通部内に保持されると共に該貫通部にカバーが装着されていることを特徴とする。
【００２４】
請求項４の発明においても、「スライドバーの固定構造」の美観の向上を図ることを意図している。つまり、スライドバーの他端及び貫通部にカバーが装着されるため、スライドバーの固定構造の美観が向上する。
【００２５】
尚、請求項４の発明は、現場施工において、スライドバーの施工ピッチに応じてスライドバーの端部に切断加工を施し（カットし）、この加工後に新たに端部となった部分を貫通部内に保持する場合に特に有効である。つまり、現場施工によって、スライドバーの端部に切断加工を施すと、スライドバーの全長がスライドバーの施工ピッチに合致し、「スライドバーの固定構造」の美観が向上する。しかし、現場施工によって切断加工を行うと、切断面（加工後に新たに形成された他端面）にはバリ等を生じ、しかも、端部処理を十分に行うことができない場合もある。このような場合に、請求項５の発明によると、カバーによってこの切断面を被覆できるため、「スライドバーの固定構造」の美観の更なる向上を図ることができる。
【００２６】
請求項５の発明のスライドバーの固定構造は、
吐水具を保持する保持部材がスライド可能に装着されるスライドバーを、複数の支持部材を用いて所定の固定部位に固定して構成されるスライドバーの固定構造であって、
少なくとも１個の支持部材が、スライドバーに対してスライド可能な可動型支持部材とされることを特徴とする。
【００２７】
ここで、請求項５の発明の「スライドバーの固定構造」が備える「支持部材」の数は、２個以上であれば特に問わない。また、請求項５の発明の「スライドバーの固定構造」が、２個の「支持部材」を備える場合、双方の「支持部材」が可動型支持部材とされてもよいし、一方の「支持部材」のみが可動型支持部材とされてもよい。また、請求項５の発明の「スライドバーの固定構造」が３個以上の「支持部材」を備える場合にも、全ての「支持部材」が可動型支持部材とされても、可動型支持部材と、可動しない支持部材（固定型支持部材）と、が混在してもよい。
【００２８】
請求項５の発明の「スライドバーの固定構造」によると、スライドバーと別体される複数の支持部材を用いてスライドバーの固定を行うと共に、これらの支持部材のうちの少なくとも１個が、可動型支持部材とされる。つまり、可動型支持部材では、施工時において、スライドバーへの取付位置を変更可能なため、スライドバーの汎用性と、スライドバーの施工上の自由度とを高めることができる。よって、請求項５の発明によると、請求項１の発明と同様に、個々の施工現場（固定部位）において「施工ピッチ」が異なっていても、この異なる「施工ピッチ」に対応して両支持部材間の間隔を調節できる。
【００２９】
尚、請求項５の発明の「スライドバーの固定構造」が、３個以上の支持部材を備える場合に、全ての支持部材が可動型支持部材とされてり、１個を除く残り全ての支持部材が可動型支持部材とされると、「スライドバーの固定構造」を構成する全ての支持部材において、隣接する他の支持部材との間の間隔を「施工ピッチ」に適合させることができ、スライドバーのより安定的な固定を行うことができる。但し、３個以上の支持部材を備える場合においても、最低限１個の支持部材が、可動型支持部材とされれば、本発明の目的を達成できる。蓋し、１個の「可動型支持部材」と、何れか一個の支持部材（可動型支持部材であるか、固定型支持部材であるかを問わない。）のみとによっても、スライドバーの固定を行うことができるからである。
【００３０】
請求項６の発明のスライドバーの固定構造は、
吐水具を保持する保持部材がスライド可能に装着されるスライドバーを、該スライドバーの一端部を用いて構成される支持部と、
該スライドバーに装着された１個以上の支持部材と、を用いて所定の固定部位に固定して構成されるスライドバーの固定構造であって、
少なくとも１個の支持部材が、スライドバーに対してスライド可能な可動型支持部材とされることを特徴とする。
【００３１】
請求項６の発明は、スライドバーの一端部を用いて構成される支持部（つまり、スライドバーの一部を用いて構成される支持部）と、スライドバーと別体の支持部材とを用いて、スライドバーの固定部位への固定を行う点を除いて、請求項５の発明と同様である。つまり、請求項６の発明では、スライドバーの一端部を用いて構成される支持部（例えば、スライドバーの一端部をＬ字状等に屈曲させて構成される支持部）と、貫通部を備える支持部材との間隔を、「施工ピッチ」に対応して調節できる。
【００３２】
このため、請求項５の発明と同様に、スライドバーの汎用性と、スライドバーの施工上の自由度とを高めることができる。但し、請求項６の発明のスライドバーの固定構造が、複数の支持部材をスライドバーと別体で備える場合には、スライドバーの一端部を用いて構成される支持部を用いずに、２個以上の支持部材を用いることによってスライドバーの固定を行ってもよい。ここで、請求項６の発明の「スライドバーの固定構造」が備える「支持部材」の数は、１個以上であれば特に問わないが、２個以上の「支持部材」を備える場合、全ての「支持部材」が可動型支持部材とされてもよいが、少なくとも１つの「支持部材」が可動型支持部材とされれば本発明の目的を達成できる。
【発明の効果】
【００３３】
以上のように、本各発明のスライドバーの固定構造によると、スライドバーの汎用性を高めたり、スライドバーの施工上の自由度を高めることができる。
【発明を実施するための最良の形態】
【００３４】
次に、本各発明に係わる「スライドバーの固定構造」（以下、「固定構造」という。）の最良の形態（以下、「実施例」という。）を図面に従って詳細に説明する。
【００３５】
本実施例に係る固定構造Ｋは、図１〜図３に示すように、スライドバー１０を２つの支持部材２０、３０を用いて、バスユニットＢの壁部１に固定して構成されている。
【００３６】
ここで、バスユニットＢの壁部１は固定部位の具体例を示すものである。そして、本実施例では、この壁部１を剛性に乏しい薄板（例えば、ＦＲＰ製）で構成すると共に、壁部１の裏面において上下方向に所定の間隔（例えば、７００ｍｍの間隔等）を隔てた部位が、補強板１ａによって補強されている。つまり、この壁部１は、上下方向に所定のピッチ（Ｐ）を隔てた部位（裏面を補強板１ａで補強した部位）を、裏面補強部Ｈ１、Ｈ２としている。即ち、この壁部１においては、スライドバー１０の施工ピッチ（Ｐ）が、上下の裏面補強部Ｈ１、Ｈ２の間隔に定められている。
【００３７】
スライドバー１０は、図１〜図３に示すように、上下両端部で開口する筒状体によって構成され、軸心を上下に向けつつ、後述する「２つの支持部材２０、３０」を用いて壁部１に固定される。そして、本実施例では、このスライドバー１０にスライドハンガー５０が、スライドバー１０の軸心方向に沿ってスライド可能に装着されている。
【００３８】
このスライドハンガー５０は保持部材の具体例を示すものであり、シャワーヘッド４０の基端部４１を着脱自在に保持するものである（図２を参照）。尚、シャワーヘッド４０は、吐水具の一具体例を構成している。このシャワーヘッド４０は、その基端部４１に接続されたホース（シャワーホース）４４から供給される湯水を、その先端のシャワー吐水口４３より吐水するものである。
【００３９】
スライドハンガー５０は、図５及び図６に示すように、軸心を横に向けた略円筒状に構成されたスライド部材５１と、このスライド部材５１の一方の開口部側に取り付けられたフック部材５２と、固定具５３と、スライドブッシュ５５と、パッキン５６と、ハンドル５７とを備える。
【００４０】
スライド部材５１は、上壁部に挿通孔５１ａを備えると共に、下壁部に挿通孔５１ｂを備えている。これらの挿通孔５１ａ、５１ｂは上下に同心状に並ぶと共に、スライドバー１０をその軸心方向に沿って挿通可能なサイズとされている。また、このスライド部材５１では、挿通孔５１ａ、５１ｂの形成部位を含む一端側を略円筒型の容器形状とし、固定具５３を取り付けるための取付部５１ｃを構成している。また、スライド部材５１において、挿通孔５１ａ、５１ｂの形成部位よりも他端側を、フック部材５２を取り付けるための取付部５１ｄとしている。更に、スライド部材５１の他端には、一端側の取付部５１ｃの奥端に到達する取付孔５１ｅが設けられている。
【００４１】
フック部材５２は、シャワーヘッド４０の基端部４１を保持するための保持本体部５２ａと、スライド部材５１に組み付けられる組付部５２ｂとを備える。この組付部５２ｂは、スライド部材５１を嵌合させる略筒状の嵌合部５２ｃと、嵌合部５２ｃの開口方向に向かって突設された螺着部５２ｄと、嵌合部５２ｃ及び取付部５２ｄの間に形成された回動規制部５７とを備えている。そして、嵌合部５２ｃの開口側付近の内周面に係止用凹部５２ｗが、周方向に沿って所定の間隔で複数個設けられている。更に、嵌合部５２ｃの開口側付近では、付勢手段５２ｚによって嵌合部５２ｃの半径外側方向に付勢された剛球５２ｆが配置され、この剛球５２ｆと係止用凹部５２ｗが、嵌合部５２ｃの一つの半径に沿って位置合わせされると、剛球５２ｆは係止用凹部５２ｗに係止される。
【００４２】
フック部材５２の嵌合部５２ｃの内径は、取付部５１ｄの外径よりも僅かに大きく形成されている。そして、嵌合部５２ｃは、取付部５１ｄに対して回動可能な状態に外嵌されている。尚、スライド部材５１の他端の取付孔５１ｅには、フック部材５２の螺着部５２ｄが挿入されている。更に、取付孔５１ｅに挿入された螺着部５２ｄには、そのネジ取付孔５２ｇに向かってネジ５２ｈが螺着されており、このネジ５２ｈによってフック部材５２がスライド部材５１に対して回動可能に組み付けられている。
【００４３】
固定具５３は、挿入部５３ａと、ハンドル装着部５３ｂとを備えると共に、挿入部５３ａとハンドル装着部５３ｂとの間にフランジ部５３ｃを備える。このうち、挿入部５３ａは略箱状に構成され、フランジ部５３ｃと共に、「スライド部材５１の一端側の取付部５１ｃ」に挿入される。そして、この挿入部５３ａには、スライドバー１０を挿通させるための挿通孔５３ｄが上下に貫通する状態に設けられている。この挿通孔５３ｄは略円形の横断面を備えると共にスライドバー１０を僅かに余裕をもって挿入可能な内径を備える。
【００４４】
フランジ部５３ｃは、挿入部５３ａをスライド部材５１の一端側の取付部５１ｃに挿入したときに、この取付部５１ｃの開口部付近に形成された段部５１ｒに嵌合される部分である。また、本実施例では、挿入部５３ａ及びフランジ部５３ｃをこの取付部５１ｃに挿入し、フランジ部５３ｃの一端面（露呈する側の面）と、スライド部材５１の一端面（取付部５１ｃが開口する側の端面）とを略面一な状態とすると、挿通孔５３ｄと、その上下の挿通孔５１ａ、５１ｂとが略同心状に位置合わせされた状態となる。そして、スライドバー１０は、この位置合わせされた３つの挿通孔５１ａ、５３ｄ、５１ｂに対して、僅かなクリアランスを維持した状態で、同心状に挿入される。
【００４５】
ハンドル装着部５３ｂは、軸心を横方向に向けた略円筒形状に構成されると共に、略円柱状の内部空間５３ｇの奥端を、挿通孔５３ｄに連通させている。つまり、この内部空間５３ｇは固定具５３の一端部（「反」挿通孔５３ｄの端部）で開放されると共に、他端部において挿通孔５３ｄに開放されている。そして、この内部空間５３ｇには、略円柱状のスライドブッシュ５５と、略円柱状のパッキン５６とが収容された状態となっている。このとき、パッキン５６が内部空間５３ｇにおいてスライドバー１０に近接する部位に収容され、スライドブッシュ５５が、スライドバー１０と離間する部位に収容される。
【００４６】
ここで、スライドブッシュ５５の長さ（内部空間５３ｇの軸心方向に沿った長さ）は以下のように定められている。つまり、パッキン５６の他端部（スライドバー１０側の端部）を、内部空間５３ｇの「挿通孔５３ｄ側の開口部」に位置合わせしたときに、スライドブッシュ５５の一端部（「反」スライドバー１０側の端部）が、内部空間５３ｇの「反挿通孔５３ｄ側の開口部」から突出するように定められている。
【００４７】
ハンドル装着部５３ｂには、略円筒容器形状のハンドル５３ｍが回動可能に装着されている。つまり、ハンドル装着部５３ｂの外周面に雄ネジ部５３ｎが設けられており、この雄ネジ部５３ｎに、ハンドル５３ｍ内周壁の雌ネジ部５３ｐを螺合させている。これにより、ハンドル５３ｍは、ハンドル装着部５３ｂに螺合された状態で、ハンドル装着部５３ｂの軸心方向に螺進可能となっている。
【００４８】
このハンドル５３ｍを一方向に回転し、スライドバー１０側に螺進させると、ハンドル５３ｍの底壁面５３ｒがスライドブッシュ５５の一端部（「反」スライドバー１０側の端部）を押圧する。このとき、スライドブッシュ５５の他端部（スライドバー１０側の端部）がパッキン５６の一端部（「反」スライドバー１０側の端部）を押圧し、パッキン５６の他端部が挿通孔５３ｄに僅かに進入する。これにより、パッキン５６の他端部（スライドバー１０側の端部）は僅かに圧縮変形しつつ、スライドバー１０の外周面に当接し、スライドバー１０の外周面に摩擦力を与える。これにより、スライドハンガー５０のスライドバー１０に対する相対移動（スライド）が禁止され、スライドハンガー５０が固定状態となる。
【００４９】
一方、このハンドル５３ｍを前記「一方向」と逆の方向に回転し、スライドバー１０と離間する側に螺進させると、ハンドル５３ｍの底壁面５３ｒのスライドブッシュ５５の一端部への押圧が解除される。このとき、「スライドブッシュ５５の他端部」の「パッキン５６の一端部」への押圧が解除されるか、「スライドブッシュ５５の他端部」から「パッキン５６の一端部」へ加わる押圧力が弱くなる。そして、「パッキン５６の他端部」からスライドバー１０の外周面に加わる摩擦力が除荷されるか、この摩擦力が弱くなるため、スライドハンガー５０のスライドバー１０に対する相対移動（スライド）が可能となる。
【００５０】
尚、このスライドハンガー５０では、フック部材５２を回転することができるが、その際、剛球５２ｆが係止用凹部５２ｗに係止される。このため、使用者には、この剛球５２ｆが係止用凹部５２ｗに嵌り込む際の感触（クリック感）が伝達される。
【００５１】
本固定構造Ｋが、２つの支持部材２０、３０を備えている。このうち、下方側の裏面補強部Ｈ１に配置される支持部材２０は、スライドバー１０の下端部に対して、固定的に（スライドバー１０への取付位置を変更不可能な状態に）装着される。
【００５２】
この支持部材２０は、図４（ａ）に示すように、取付本体２１と、支持部材本体２２とを備えている。このうち、取付本体２１は略板状に構成されると共に裏面を下方側の裏面補強部Ｈ１に当接させつつ、壁部１に固定されている。また、取付本体２１は、表裏を貫通する状態の取付孔２１ａを備えている。更に、表面側（使用者の側を向く面の側）に係止部２１ｂを突出させている。
【００５３】
支持部材本体２２は、軸心を横方向に向けた有底円筒型の略容器形状を備えており、開口部２２ａを取付本体２１に連結し、底部２２ｂを使用者側に向けた状態に配置される。この支持部材本体２２は、底部２２ｂ寄りの側面上方側に挿入口２２ｃを開口させ、挿入口２２ｃの直下に略円柱状の収容空間２２ｄを形成している。
【００５４】
この支持部材本体２２は、開口部２２ａ寄りの内壁に係止部２１ｈを備えている。また、支持部材本体２２は、上下に分割される２つの分割片２２ｅ、２２ｆを有底円筒型の略容器形状に組み合わせて構成されている。そして、下方の分割片２２ｆにおいては、支持部材本体２２の開口部２２ａ寄りの内壁から、支持部材本体２２の半径内側方向に取付片２２ｋを突出させ、この取付片２２ｋには、その表裏を貫通する取付孔２２ｍを備える。尚、この支持部材本体２２を一体品で構成することもできる。
【００５５】
この支持部材２０は、以下の手順で下方側の裏面補強部Ｈ１に配置される。つまり、取付本体２１の取付孔２１ａと、下方の分割片２２ｆの取付孔２２ｍを位置合わせしつつ、係止部２１ｂ及び係止部２１ｈを係止して、取付本体２１及び下方の分割片２２ｆを一体化する。そして、取付孔２２ｍの前方から、下方側の裏面補強部Ｈ１にビス２１ｎを螺入し、取付本体２１及び下方の分割片２２ｆを裏面補強部Ｈ１に固定した後、下方の分割片２２ｆに上方の分割片２２ｅを連結すると、支持部材２０の裏面補強部Ｈ１への取付を完了する。
【００５６】
上方側の裏面補強部Ｈ２に配置される支持部材３０は、スライドバー１０への取付位置を変更可能な支持部材である。この支持部材３０も、図４（ｂ）に示すように、取付本体３１と、支持部材本体３２とを備えている。このうち、取付本体３１は略板状に構成されると共に裏面を下方側の裏面補強部Ｈ２に当接させつつ、壁部１に固定されている。また、この取付本体３１も、表裏を貫通する状態の取付孔３１ａを備えている。更に、表面側（使用者の側を向く面の側）に係止部３１ｂを突出させている。
【００５７】
この支持部材本体３２も、軸心を横方向に向けた有底円筒型の略容器形状を備えており、開口部３２ａを取付本体３１に連結し、底部３２ｂを使用者側に向けた状態に配置される。この支持部材本体３２は、底部３２ｂ寄りの上下を貫く貫通孔３２ｃを備えている。尚、貫通孔３２ｃは、請求項１の発明の「貫通部」の具体例を構成している。
【００５８】
この支持部材本体３２も、開口部３２ａ寄りの内壁に係止部３１ｈを備えている。また、支持部材本体３２は、貫通孔３２ｃの前後に分割される２つの分割片３２ｅ、３２ｆを有底円筒型の略容器形状に組み合わせて構成されている。そして、後方（壁部１寄り）の分割片３２ｆにおいては、支持部材本体３２の開口部３２ａ寄りの内壁から、支持部材本体３２の半径内側方向に取付片３２ｋを突出させ、この取付片３２ｋには、その表裏を貫通する取付孔３２ｍを備える。尚、この支持部材本体２３を一体品で構成することもできる。
【００５９】
この支持部材３０は、以下の手順で下方側の裏面補強部Ｈ２に配置される。つまり、取付本体３１の取付孔３１ａと、後方の分割片３２ｆの取付孔３２ｍを位置合わせしつつ、係止部３１ｂ及び係止部３１ｈを係止して、取付本体３１及び下方の分割片３２ｆを一体化する。そして、取付孔３２ｍの前方から、上方側の裏面補強部Ｈ２にビス３１ｎを螺入し、取付本体３１及び後方の分割片３２ｆを裏面補強部Ｈ２に固定した後、後方の分割片３２ｆの前端にスライドバー５０を配置し、スライドバー１０の前方から、後方の分割片３２ｆに前方の分割片３３ｅを装着し、一体化すると、支持部材３０の裏面補強部Ｈ２への取付を完了する。
【００６０】
つまり、この支持部材３０においては、裏面補強部Ｈ２の位置に適合するように、スライドバー１０への取付位置を変更しつつ、裏面補強部Ｈ２に固定される。換言すると、支持部材３０の固定を完了すると、貫通孔３２ｃに挿通されたスライドバー５０の一部が貫通孔３２ｃの上方に突出する。このとき、スライドバー５０における「貫通孔３２ｃの上方への突出量」を調節することによって、支持部材３０と、スライドバー５０との相対位置（スライドバー５０の軸心方向に沿った相対位置）を調節すると、支持部材３０を裏面補強部Ｈ２に対して的確に固定できる。
【００６１】
更に、本実施例では、スライドバー５０の上端部に、カバー８０が装着されている。このため、固定構造Ｋの美観が向上している。
【００６２】
以上のように、本固定構造では、スライドバー５０と別体される２つの支持部材２０、３０を用いてスライドバー５０の固定を行うと共に、これらの支持部材２０、３０のうちの１個が、貫通孔３２ｃにスライドバー５０を挿通しつつ、壁部１に固定されている。つまり、貫通孔３２ｃを備える支持部材３０では、施工時において、スライドバー１０への取付位置を変更可能とされるため、スライドバー５０の汎用性と、スライドバー５０の施工上の自由度とを高めることができる。
【００６３】
つまり、本実施例では、２つの支持部材２０、３０を用いてスライドバー１０を壁部１に固定するが、一方の支持部材３０と、スライドバー５０との相対位置を変更可能とするため、施工者は、施工現場において、両支持部材２０、３０間の間隔を調節できる。よって、個々の施工現場において、裏面補強部Ｈ１、Ｈ２の「施工ピッチＰ」が異なっていても、この異なる「施工ピッチＰ」に対応して両支持部材間２０、３０の間隔を調節できる。
【００６４】
従って、本実施例によると、例えば、既設若しくは新設のバスユニットＢに対して、スライドバー５０を新規に設置したり、既設のバスユニットＢに設置されているスライドバー５０を新たなものに交換する際に、支持部材２０、３０の間隔を「施工ピッチＰ」に的確に合致させることができる。また、このように、支持部材２０、３０の間隔を「施工ピッチＰ」に的確に合致させられるため、支持部材２０、３０を確実に裏面補強部Ｈ１、Ｈ２に施工することができ、スライドバー５０の施工精度も向上する。
【００６５】
更に、スライドバー５０の汎用性が向上し、これらのがマルチ仕様となるため、スライドバー５０の少品種生産（品番の統一、部品の統廃合）が可能となり、スライドバー５０の生産コストの低減等を図ることもできる。更に、２つの支持部材２０、３０の間隔の間隔を現場施工によって調節することは一般ユーザにとっても簡単なため、スライドバー５０の施工を一般ユーザが積極的に行うことも可能である。
【００６６】
尚、本各発明の範囲は前記各実施例に示す具体的な態様に限定されず、本各発明の範囲内で種々の変形例を例示できる。即ち、本実施例では、スライドバー１０とは別体の「２つの支持部材２０、３０」を用いて、このスライドバー１０を壁部１固定する態様を例示したが、図７の変形例に示すように、スライドバー１０一端部を略Ｌ字状に屈曲して構成される支持部２８と、貫通孔３２ｃを備える支持部材３０とを用いて、スライドバー１０を壁部１固定してもよい。また、スライドハンガー５０の形状、構成も、図７の変形例に示すように種々変更可能である。
【００６７】
また、本実施例及び変形例と異なり、スライドバー１０において、貫通孔３２ｃの上方に突出する部分を切断する。そして、この切断により、新たに形成されるスライドバー１０の上端部を、貫通孔３２ｃ内に保持されると共に、この貫通孔３２ｃにカバーが装着されてもよい。この場合、新たに形成されるスライドバー１０の上端部、つまり、切断部にバリ等を存在しても、カバーによってこの切断部を被覆できるため、固定構造の美観の更なる向上を図ることもできる。
【００６８】
更に、本実施例及び変形例と異なり、スライドバー１０への取付位置を変更可能な支持部材３０を下方に配置し、スライドバー１０への取付位置を変更不可能な支持部材２０や支持部２８を上方に配置してもよい。また、スライドバー１０が更に長尺状等となる場合には、スライドバー１０を３つ以上の支持部材、若しくは、「１つの支持部と２つ以上の支持部材」とで、固定部位に固定してもよい。更に、スライドバー１０への取付位置を変更可能な支持部材においては、この支持部材をスライドバー１０に沿ってスライドさせ、この取付位置の変更を行ってもよい。また、本実施例及び変形例では、スライドバー１０の軸心を上下方向に向ける態様を例示したが、この軸心は、横方向、傾斜方向等の他の方向に向けられてもよい。更に、本実施例及び変形例では、直線状の軸心を備えるスライドバー１０を例示したが、このスライドバー１０の軸心は円弧状等の他の形状とされてもよい。
【産業上の利用可能性】
【００６９】
本発明は、例えば、水栓の製造、販売、施工、加工等を行う分野で利用可能である。
【図面の簡単な説明】
【００７０】
【図１】実施例の固定構造を示す斜視図である。
【図２】実施例の固定構造を示す側面図である。
【図３】実施例の固定構造を示す縦断面図である。
【図４】（ａ）は実施例の固定構造において上方に配置される支持部材の縦断面図、（ｂ）は実施例の固定構造において下方に配置される支持部材の縦断面図である。
【図５】実施例の固定構造を構成するスライドハンガーの縦断面図である。
【図６】実施例の固定構造を構成するスライドハンガーの横断面図である。
【図７】変形例の固定構造を示す斜視図である。
【符号の説明】
【００７１】
Ｋ；固定構造、
１；壁部（固定部位）、
１０；スライドバー、
２０；支持部材
２８；支持部、
３０；支持部材；
３２ｃ；貫通孔（貫通部）、
５０；スライドハンガー（保持部材）。
【図１】
2006037529.tif 000003
【図２】
2006037529.tif 000004
【図３】
2006037529.tif 000005
【図４】
2006037529.tif 000006
【図５】
2006037529.tif 000007
【図６】
2006037529.tif 000008
【図７】
2006037529.tif 000009